(57)【特許請求の範囲】
【請求項１】
矩形形状パネルと、パネルの少なくとも２側縁に設けられたフィルム状電子部品とを有するワークを保持するとともに、ベース上を摺動するワーク保持部と、  ワーク保持部に保持されたワークの電子部品に対して基板を圧着する圧着機構と、
ワーク保持部上方に設けられ基板が圧着されたワークを持ち上げるワーク持上げ機構とを備え、
ワーク保持部は、圧着機構側へ延びる第１受けを有する固定台と、固定台に対して回転自在に設けられ第２受けを有する回転台とを有することを特徴とするパネル製品製造装置。
【請求項２】
請求項１記載のパネル製品製造装置を用いたパネル製品製造方法において、
ワークをワーク保持部上に載置する工程と、
一方の電子部品に対して基板を圧着機構により圧着し、圧着された基板を第１受けにより支持する工程と、
ワーク保持部をベース上で摺動させてワークを圧着機構から待避させる工程と、
ワーク保持部上のワークを持上げ機構により持ち上げるとともに、ワーク保持部の回転台を固定台に対して回転させて第２受けを一方の電子部品に圧着された基板に対向させる工程と、
ワーク持上げ機構により持上げたワークを前記ワーク保持部上に載置して第２受けにより一方の電子部品に圧着された基板を保持するとともに、回転台を固定台に対して回転させて圧着機構に他方の電子部品を向かわせる工程と、
ワーク保持部をベース上で摺動させて、ワークを圧着機構側へ移動させ、他方の電子部品に対して基板を圧着機構において圧着する工程と、
を備えたことを特徴とするパネル製品製造方法。
【発明の詳細な説明】
【０００１】
【発明の属する技術分野】
本発明はパネル状の電子製品（パネル製品）の製造装置および製造方法に関する。
【０００２】
【従来の技術】
従来よりパネル状の電子製品（パネル製品）として、矩形状のパネルと、パネルの対向する２側縁に設けられたフィルム状電子部品と、このフィルム状電子部品に接続された基板とからなるものが知られている。
【０００３】
このようなパネル製品を製造する場合、まずパネルの２側縁にフィルム状電子部品が取付けられたワークを準備し、ワークのうちパネルの一方の側縁に設けられたフィルム状電子部品に対して第１圧着機構により基板を圧着している。
【０００４】
次にワークを第１圧着機構の下流側に設けられた第２圧着機構まで搬送し、パネルの他方の側縁に設けられたフィルム状電子部品に対して第２圧着機構により基板を圧着し、このようにしてパネル製品を製造している。
【０００５】
【発明が解決しようとする課題】
上述のように、パネルの２側縁にフィルム状電子部品が取付けられたワークからパネル製品を製造する際、パネルの一方の側縁に取付けられたフィルム状電子部品に対して基板を圧着する第１圧着機構と、パネルの他方の側縁に取付けられたフィルム状電子部品に対して基板を圧着する第２圧着機構とをそれぞれ専用に設置する必要があり、製造装置の設置面積が拡大してしまう。
【０００６】
本発明はこのような点を考慮してなされたものであり、コンパクトな製造装置を用いてパネル製品を製造することができるパネル製品の製造装置およびパネル製品の製造方法を提供することを目的とする。
【０００７】
【課題を解決するための手段】
本発明は、矩形形状パネルと、パネルの少なくとも２側縁に設けられたフィルム状電子部品とを有するワークを保持するとともに、ベース上を摺動するワーク保持部と、ワーク保持部に保持されたワークの電子部品に対して基板を圧着する圧着機構と、ワーク保持部上方に設けられ基板が圧着されたワークを持ち上げるワーク持上げ機構とを備え、ワーク保持部は、圧着機構側へ延びる第１受けを有する固定台と、固定台に対して回転自在に設けられ第２受けを有する回転台とを有することを特徴とするパネル製品製造装置である。
【０００８】
本発明は、矩形形状パネルと、パネルの少なくとも２側縁に設けられたフィルム状電子部品とを有するワークを保持するとともに、ベース上を摺動するワーク保持部と、ワーク保持部に保持されたワークの電子部品に対して基板を圧着する圧着機構と、ワーク保持部上方に設けられ基板が圧着されたワークを持ち上げるワーク持上げ機構とを備え、ワーク保持部は圧着機構側へ延びる第１受けと、この第１受けと異なる方向へ延びる第２受けとを有し、ワーク持上げ機構が回転自在とすることを特徴とするパネル製品製造装置である。
【０００９】
本発明は、矩形形状パネルと、パネルの少なくとも対向する２側縁に設けられたフィルム状電子部品とを有するワークを保持するとともに、ベース上を摺動するワーク保持部と、ワーク保持部に保持されたワークの電子部品に対して基板を圧着する圧着機構と、を備え、ワーク保持部はベース上で回転自在となっており、ワーク保持部は圧着機構にて圧着された基板を支持する第１受けと第２受けとを有することを特徴とするパネル製品製造装置である。
【００１０】
本発明は、矩形形状パネルと、パネルの少なくとも２側縁に設けられたフィルム状電子部品とを有するワークを保持するとともに、ベース上を摺動するワーク保持部と、ワーク保持部に保持されたワークの電子部品に対して基板を圧着する圧着機構と、ワーク保持部上方に設けられ基板が圧着されたワークを持ち上げるワーク持上げ機構とを備え、ワーク保持部は、圧着機構側へ延びる第１受けを有する固定台と、固定台に対して回転自在に設けられ第２受けを有する回転台とを有することを特徴とするパネル製品製造装置を用いたパネル製品製造方法において、ワークをワーク保持部上に載置する工程と、一方の電子部品に対して基板を圧着機構により圧着し、圧着された基板を第１受けにより支持する工程と、ワーク保持部をベース上で摺動させてワークを圧着機構から待避させる工程と、ワーク保持部上のワークを持上げ機構により持ち上げるとともに、ワーク保持部の回転台を固定台に対して回転させて第２受けを一方の電子部品に圧着された基板に対向させる工程と、ワーク持上げ機構により持上げたワークを前記ワーク保持部上に載置して第２受けにより一方の電子部品に圧着された基板を保持するとともに、回転台を固定台に対して回転させて圧着機構に他方の電子部品を向かわせる工程と、ワーク保持部をベース上で摺動させて、ワークを圧着機構側へ移動させ、他方の電子部品に対して基板を圧着機構において圧着する工程と、を備えたことを特徴とするパネル製品製造方法である。
【００１１】
本発明は、矩形形状パネルと、パネルの少なくとも２側縁に設けられたフィルム状電子部品とを有するワークを保持するとともに、ベース上を摺動するワーク保持部と、ワーク保持部に保持されたワークの電子部品に対して基板を圧着する圧着機構と、ワーク保持部上方に設けられ基板が圧着されたワークを持ち上げるワーク持上げ機構とを備え、ワーク保持部は圧着機構側へ延びる第１受けと、この第１受けと異なる方向へ延びる第２受けとを有し、ワーク持上げ機構が回転自在とすることを特徴とするパネル製品製造装置を用いたパネル製品製造方法において、ワークをワーク保持部上に載置する工程と、一方の電子部品に対して基板を圧着機構により圧着し、圧着された基板を第１受けにより支持する工程と、ワーク保持部をベース上で摺動させてワークを圧着機構から待避させる工程と、ワーク保持部上のワークを持上げ機構により持ち上げるとともに、持上げ機構を回転させて一方の電子部品に圧着された基板を第２受けに対向させる工程と、ワーク持上げ機構により持上げられたワークをワーク保持部上に載置するとともに、第２受けにより一方の電子部品に圧着された基板を保持する工程と、ワーク保持部をベース上で摺動させて、ワークを圧着機構側へ移動させ、他方の電子部品に対して基板を圧着機構において圧着する工程と、を備えたことを特徴とするパネル製品製造方法である。
【００１２】
本発明は、矩形形状パネルと、パネルの少なくとも対向する２側縁に設けられたフィルム状電子部品とを有するワークを保持するとともに、ベース上を摺動するワーク保持部と、ワーク保持部に保持されたワークの電子部品に対して基板を圧着する圧着機構と、を備え、ワーク保持部はベース上で回転自在となっており、ワーク保持部は圧着機構にて圧着された基板を支持する第１受けと第２受けとを有することを特徴とするパネル製品製造装置を用いたパネル製品製造方法において、ワークをワーク保持部上に載置する工程と、一方の電子部品に対して基板を圧着機構により圧着し、圧着された基板を第１受けにより支持する工程と、ワーク保持部をベース上で摺動させてワークを圧着機構から待避させる工程と、ワーク保持部をベースに対して回転させて他の電子部品を圧着機構に向わせる工程と、ワーク保持部をベース上で摺動させて、ワークを圧着機構側へ移動させ、他方の電子部品に対して基板を圧着機構において圧着する工程と、を備えたことを特徴とするパネル製品製造方法である。
【００１３】
【発明の実施の形態】
以下、図面を参照して本発明の実施の形態について説明する。図１および図２は本発明の第１の実施の形態を示す図である。
【００１４】
図１（ａ）−（ｃ）および図２（ａ）−（ｃ）において、パネル製品製造装置１０は、ベース１０ａと、ベース１０ａ上に摺動自在に設けられるとともにワークＷを保持するワーク保持部５とを備えている。
【００１５】
ワーク保持部５に保持されたワークＷは、図５に示すように２層構造の矩形状パネル１と、パネル１の対向する２側縁に設けられたフィルム状電子部品２とからなっており、フィルム状電子部品２は柔軟材料から形成されている。
【００１６】
また図１に示すように、ベース１０ａの近傍に、ワーク保持部５に保持されたワークＷの電子部品２に対して基板３を圧着して取付ける圧着機構４，６が設けられており、この圧着機構はバックアップツール４と圧着ツール６とからなっている。また、バックアップツール４と圧着ツール６は昇降動自在であり、図示は省略するが、バックアップツール４には基板３を保持するチャック機構と、バックアップツール４の基板支持面から突出し基板３をバックアップツール４から相対的に持ち上げるリフトピンとが設けられている。
【００１７】
さらにワーク保持部５の上方には、基板３が取付けられたワークＷを持ち上げるワーク持上げ機構７が上下方向に移動自在に配置されている。このワーク持上げ機構７はワークＷを吸着保持する吸着部７ａと、ワークＷに圧着された基板３を保持する保持爪８とを有している。
【００１８】
また図１に示すように、ワーク保持部５は、ワークＷを吸着保持する吸着部（不図示）と、ベース１０ａ上を摺動するが回転しない固定台５ａと、固定台５ａ上に回転自在に設けられた回転台５ｂとを有している。このうち、固定台５ａには圧着機構４，６側へ延びる第１受け１１が、圧着機構４，６へ向って進退自在に設けられている。さらに回転台５ｂには、第２受け１２が設けられている。
【００１９】
次にこのようなパネル製品製造装置１０を用いたパネル製品製造方法について説明する。
【００２０】
まず、図１（ａ）に示すように、パネル１とフィルム状電子部品２とからなるワークＷが準備され、このワークＷがワーク保持部５の回転台５ａ上に載置される。次にワーク保持部５の固定台５ｂがベース１０ａ上を圧着機構４，６側へ移動する。一方、バックアップツール４上には基板３が供給され、不図示のチャック機構によりバックアップツール４上に保持される。そして、電子部品２と基板３とを相対的に位置合わせした後、バックアップツール４と圧着ツール６が互いに接近し、これらバックアップツール４と圧着ツール６との間で一方の電子部品２と基板３が挟持されて圧着される。
【００２１】
電子部品２と基板３との圧着が終了すると、バックアップツール４のチャック機構が開放される。そして、圧着ツール６が上昇するとともにバックアップツール４が下降する。このバックアップツール４の下降に同期して不図示のリフトピンが突出し、圧着された基板３を圧着時の高さに維持する。この後、第１受け１１が圧着機構４、６側に突出して基板３を下方から支持する（図１（ａ））。
【００２２】
次いで、ワーク保持部５の固定台５ａがベース１０ａ上を圧着機構４，６から待避する方向へ移動する（図１（ｂ））。
【００２３】
その後ワーク保持部５の上方に配置されたワーク持上げ機構７が降下し、ワークＷのパネル１を吸着部７ａが吸着保持する。同時に左右の保持爪８が互いに近接する方向に移動し、一方の電子部品２に圧着された基板３を保持する（図１（ｃ））。その後、ワーク持上げ機構７が上昇しワークＷをワーク保持部５上から引き離す。
【００２４】
この場合、ワークＷのフィルム状電子部品２は柔軟材料からなり、また基板３はフィルム状電子部品２に対して比較的重い硬質材料からなり垂れ下がった状態となり易い。しかしながら、ワークＷの電子部品２に圧着された基板３はワーク持上げ機構７の保持爪８により保持されるため、ワークＷに対して基板３が垂れ下がることはない。この間、第１受け１１は固定台５ａ側へ引込む。
【００２５】
その後、ワーク保持部５の回転台５ｂが固定台５ａに対して１８０°回転し（図２（ａ））、この状態でワーク持上げ機構７により持上げられていたワークＷが再びワーク保持台５上に載置される。この場合、ワークＷの一方の電子部品２に圧着された基板３は第２受け１２により保持される。
【００２６】
その後、回転台５ｂを固定台５ａ上で再度１８０°回転させ、第２受け１２により一方の電子部品２に圧着された基板３を保持した状態で、他方の電子部品２を第１受け１１側に向かわせる（図２（ｂ））。
【００２７】
その後、ワーク保持部５の固定台５ａを圧着機構４，６側へ移動させる。一方、圧着機構４、６のバックアップツール４上には、基板３が供給されて、この基板３は不図示のチャック機構によりバックアップツール４上に保持されている。次いで、バックアップツール４と圧着ツール６とを互いに接近させて、他方の電子部品２に対して基板３をバックアップツール４と圧着ツール６との間で圧着する。
【００２８】
電子部品２と基板３との圧着が終了すると、バックアップツール４と圧着ツール６とが互いに引き離され、上述したように不図示の突き上げピンにて支持された基板３の下方に第１受け１１が移動して基板３を下方から支持する（図２（ｃ））。
【００２９】
以上のように本実施の形態によれば、単一の圧着機構４，６を用いてワークＷのパネル１の２側縁に設けられたフィルム状電子部品２に対して容易かつ確実に基板３を圧着して取り付けることができる。この場合、基板３は比較的硬質の材料からなり重量があるので、パネル１から垂れ下がることも考えられるが、上記のように圧着作業中、基板３は第１受け１１あるいは第２受け１２により保持されるので、垂れ下がりの問題が生じることはない。
【００３０】
次に図３により本発明の他の実施の形態について説明する。
【００３１】
図３に示す実施の形態は、ワーク保持台５に圧着機構４，６側へ延びる第１受け１１と、圧着機構４，６と反対側へ延びる第２受け１２とが設けられており、ワーク保持台５上にワーク持上げ機構７が回転自在に配置されている。
【００３２】
その他の構成は図１および図２に示す実施の形態と略同一である。図３において、図１および図２に示す実施の形態と同一部分には同一符号を符して詳細な説明は省略する。
【００３３】
また図３において、ワーク保持台５は回転することなく、一体となってベース１０ａ上を摺動する。
【００３４】
図３に示すように、ワーク保持台５上のワークＷに対し、圧着機構４，６により一方の電子部品２に基板３が圧着される。その後、ワークＷがワーク持上げ機構７によって持上げられる。
【００３５】
その後、ワーク持上げ機構７が１８０°回転した後、ワーク持上げ機構７により持上げられたワークＷが再びワーク保持台５上に載置され、これにより、ワークＷの一方の電子部品２に圧着された基板３が第２受け１２により支持され、他方の電子部品２は圧着機構４、６側を向くこととなる。この後、圧着機構４、６により他方の電子部品２に対して基板３が圧着される。
【００３６】
その他の製造工程は、図１および図２に示す実施の形態と略同一である。
【００３７】
次に図４により本発明の更に他の実施の形態について説明する。
【００３８】
図４に示す実施の形態は、ワーク保持台５がベース１０ａ上において摺動自在に設けられ、このワーク保持台５はベース１０ａ上で回転するようになっている。
【００３９】
またワーク保持台５には、第１受け１１と第２受け１２がワーク保持台５の回転中心に対して対称位置に設けられており、ワーク持上げ機構７が除かれている。
【００４０】
他の構成は図１および図２に示す実施の形態と略同一である。図４において、図１および図２に示す実施の形態と同一部分には同一符号を符して詳細な説明は省略する。なお、本実施の形態において第２受け１２は、第１受け１１と同様に進退自在に設けられている。
【００４１】
図４に示すように、ワーク保持台５上に載置されたワークＷに対し、一方の電子部品に基板３が圧着機構４，６により圧着された後、ワーク保持台５が１８０°回転する。その後、他方の電子部品に基板３が圧着される。
【００４２】
その他の製造工程は、図１および図２に示す実施の形態と略同一である。
【００４３】
なお、上記の実施の形態において、矩形状パネル１の対向する２側縁に電子部品２を設け、これらの電子部品２に基板３を圧着する例を用い、図１、図２に示す実施の形態では回転台５ｂを、図３に示す実施の形態ではワーク持ち上げ機構７を、図４に示す実施の形態ではワーク保持台５を、それぞれ１８０℃回転させるものとして説明したが、これらの回転量は、１８０℃に限られるものではなく、基板３が圧着される矩形状パネル１の側縁の位置に応じて設定されるものであることは言うまでもない。
【００４４】
また、図１、図２に示す実施の形態および図３に示す実施の形態において、矩形状パネル１の対向する２側縁に基板３を圧着する例で説明したが、矩形状パネル１の３側縁、或いは４側縁に基板３を圧着するものにも適用できる。この場合、第２受け１２の両側に１つずつそれぞれ水平方向に９０℃の間隔で第２受けを設けるとともに、ワーク持ち上げ機構７の一対の保持爪８に対して水平方向に９０℃角度をずらしてさらに一対の保持爪を配置することで対応可能である。さらにまた、図４に示す実施の形態においては、ワーク保持台５に対してその回転中心に対して対称的に配置された第１受け１１と第２受け１２の組を水平方向に９０℃角度をずらしてさらに１組配置することで対応できる。
【００４５】
【発明の効果】
以上のように本発明によれば、単一の圧着機構を用いてパネルの２側縁に設けられたフィルム状電子部品に対して基板を容易かつ確実に圧着することができる。また電子部品にすでに圧着された基板は第１受けあるいは第２受けによって保持されるので、電子部品に圧着された基板が垂れ下がることが防止できる。
【図面の簡単な説明】
【図１】本発明によるパネル製品製造装置の製造工程を示す図。
【図２】本発明によるパネル製品製造装置の製造工程を示す図。
【図３】本発明の他の実施の形態を示す概略図。
【図４】本発明の他の実施の形態を示す概略図。
【図５】パネルと電子部品と基板とからなるワークを示す図。
【符号の説明】
１  パネル
２  電子部品
３  基板
４  バックアップ
５  ワーク保持部
５ａ  固定台
５ｂ  回転台
６  圧着ツール
７  ワーク持上げ機構
７ａ  吸着部
８  保持爪
１０  パネル製品製造装置
１０ａ  ベース
１１  第１受け
１２  第２受け
Ｗ  ワーク
【図１】
0004205871.tif 000002
【図２】
0004205871.tif 000003
【図３】
0004205871.tif 000004
【図４】
0004205871.tif 000005
【図５】
0004205871.tif 000006